(57)【要約】【課題】回転操作体の回転操作によって、収納筒体から収納物をスムーズに出退させることができると共に、収納容器の構成部材を少なくして、製造費用を安価になし得ると同時に、収納筒体に対する回転操作体及び受け台等の組み込みを簡単になし得るようにする。【解決手段】回転操作体５の回転操作により、収納物３を保持した受け台４を収納筒体２内で移動させて収納物３を収納筒体２から出退させるようにした収納容器において、回転操作体２の回転操作によって回転操作体５に対して受け台４が離間するように移動することにより、回転操作体５側と受け台４側とが分離するように、回転操作体５側と受け台４側とが破断部２４を介して一体に形成されている。【選択図】　　　図２
2004057610.tif 000002
【特許請求の範囲】
【請求項１】
回転操作体（５）の回転操作により、受け台（４）を収納筒体（２）内で移動させるようにした収納容器において、
回転操作体（５）の回転操作によって回転操作体（５）に対して受け台（４）が離間するように移動することにより、回転操作体（５）側と受け台（４）側とが分離するように、回転操作体（５）側と受け台（４）側とが破断部（２４）を介して一体に形成されていることを特徴とする収納容器。
【請求項２】
回転操作体（５）又は受け台（４）の一方に、ねじ軸（６）が突設され、他方に、ねじ軸（６）の外周に配置されるねじ脚（７）が設けられ、ねじ脚（７）にねじ軸（６）の雄ねじ（２６）に咬み合う雌ねじ（２７）が設けられ、
回転操作体（５）の回転操作により、ねじ軸（６）とねじ脚（７）とが相対回転して、ねじ軸（６）とねじ脚（７）とが収納筒体（２）内で相対移動することにより、受け台（４）が収納筒体（２）内を移動するように構成されていることを特徴とする請求項１に記載の収納容器。
【請求項３】
前記ねじ脚（７）は、ねじ軸（６）の外周を取り囲むように複数個設けられ、受け台（４）、ねじ軸（６）及びねじ脚（７）を収納筒体（２）に収納することにより、各ねじ脚（７）の雌ねじ（２７）がねじ軸（６）の雄ねじ（２６）に咬み合うように、ねじ脚（７）がねじ軸（６）の外周に保持されるように構成されていることを特徴とする請求項２に記載の収納容器。
【請求項４】
前記ねじ脚（７）が回転操作体（５）に突設され、ねじ軸（６）が受け台（４）に突設され、ねじ軸（６）が回転操作体（５）に破断部（２４）を介して破断可能に連結されていることを特徴とする請求項２に記載の収納容器。
【請求項５】
前記ねじ軸（６）が回転操作体（５）に突設され、ねじ脚（７）が受け台（４）に突設され、ねじ軸（６）が受け台（４）に破断部（２４）を介して破断可能に連結されていることを特徴とする請求項２に記載の収納容器。
【請求項６】
前記受け台（４）と収納筒体（２）との間に、収納筒体（２）に対して受け台（４）を回転不能にする係止機構（２２）が設けられていることを特徴とする請求項２に記載の収納容器。
【請求項７】
前記係止機構（２２）は、受け台（４）の外面又は収納筒体（２）の内面の一方に設けたガイド溝（２１）と、他方に設けたガイドリブ（１４）とを備えてなり、ねじ脚（７）を収納筒体（２）に対して回転不能に保持すべく、ガイドリブ（１４）がガイド溝（２１）に長手方向摺動自在に係合されていることを特徴とする請求項６に記載の収納容器。
【請求項８】
前記ねじ脚（７）と収納筒体（２）との間に、収納筒体（２）に対してねじ脚（７）を回転不能にする回り止め機構（３０）が設けられていることを特徴とする請求項４に記載の収納容器。
【請求項９】
前記回り止め機構（３０）は、ねじ脚（７）の外面又は収納筒体（２）の内面の一方に設けた係合凸部（２８）と、他方に設けた係止凹部（１２）とを備えてなり、ねじ脚（７）を収納筒体（２）に対して回転不能に保持すべく、係合凸部（２８）が係止凹部（２）に長手方向摺動自在に係合されていることを特徴とする請求項８に記載の収納容器。
【発明の詳細な説明】
【０００１】
【発明の属する技術分野】
本発明は、口紅やリップクリーム等の収納容器に関する。
【０００２】
【従来の技術】
口紅やリップクリーム等を収納する収納容器には、図１８に示すように、収納筒体５１と、収納筒体５１内に移動自在に収納保持された収納物５２の受け台５３と、収納筒体５１に対して回転自在に保持された回転操作体５４とを備え、回転操作体５４にねじ軸５５が突設され、受け台５３がねじ軸５５に螺合するねじ筒５６が設けられ、回転操作体５４の回転操作により、収納物５２を保持した受け台５３を収納筒体５１内で移動させて、口紅やリップクリーム等の収納物５２を収納筒体５１から出退させるようにしたものがある（例えば実公昭５８−１４８８９号公報）。
【０００３】
しかし、従来のこの種の収納容器は、回転操作体５４側と、収納物５２を保持する受け台５３側とは別体に構成されており、このため収納容器の構成部材が多くなって、構成部材を形成する金型等も多く必要になり、収納容器の製造費用が高く付いた。また、別体に構成した回転操作体５４側と受け台５３側とを収納筒体５１に対してそれぞれ別々に組み込む必要があり、構成部材の組み込みも煩雑になった。
そこで、図１８に示すように、回転操作体５４側と受け台５３側とを、複数の折れ線を介して伸縮調整自在に折り重ねられる連結体５９で一体に連結するようにし、これにより回転操作体５４側と受け台５３側とを一体に成形できるようにしたものがある（特開２００１−１２８７３３）。
【０００４】
しかし、この場合、回転操作体５４の回転が良好に受け台５３に伝達されなくなり、回転操作体５４の回転操作によって、受け台５３が収納筒体５１をスムーズに移動することができず、受け台５３に保持した収納物５２を収納筒体５１からスムーズに出退させることができなくなるという問題があった。
【０００５】
【発明が解決しようとする課題】
本発明は上記問題点に鑑み、回転操作体の回転操作によって、収納筒体から収納物をスムーズに出退させることができると共に、収納容器の構成部材を少なくして、製造費用を安価になし得ると同時に、収納筒体に対する回転操作体及び受け台等の組み込みを簡単になし得るようにしたものである。
【０００６】
【課題を解決するための手段】
この技術的課題を解決するための本発明の技術的手段は、回転操作体５の回転操作により、受け台４を収納筒体２内で移動させるようにした収納容器において、
回転操作体５の回転操作によって回転操作体５に対して受け台４が離間するように移動することにより、回転操作体５側と受け台４側とが分離するように、回転操作体５側と受け台４側とが破断部２４を介して一体に形成されている点にある。
【０００７】
この場合、例えば、回転操作体５の回転操作により、収納物３を保持した受け台４を収納筒体２内で移動させて収納物３を収納筒体２から出退させるようにした収納容器において、
回転操作体５の回転操作によって回転操作体５に対して受け台４が離間するように移動することにより、回転操作体５側と受け台４側とが分離するように、回転操作体５側と受け台４側とが破断部２４を介して一体に形成されていてもよい。
【０００８】
また、本発明の他の技術的手段は、回転操作体５又は受け台４の一方に、ねじ軸６が突設され、他方に、ねじ軸６の外周に配置されるねじ脚７が設けられ、ねじ脚７にねじ軸６の雄ねじ２６に咬み合う雌ねじ２７が設けられ、
回転操作体５の回転操作により、ねじ軸６とねじ脚７とが相対回転して、ねじ軸６とねじ脚７とが収納筒体２内で相対移動することにより、受け台４が収納筒体２内を移動するように構成されている点にある。
また、本発明の他の技術的手段は、前記ねじ脚７は、ねじ軸６の外周を取り囲むように複数個設けられ、受け台４、ねじ軸６及びねじ脚７を収納筒体２に収納することにより、各ねじ脚７の雌ねじ２７がねじ軸６の雄ねじ２６に咬み合うように、ねじ脚７がねじ軸６の外周に保持されるように構成されている点にある。
【０００９】
また、本発明の他の技術的手段は、前記ねじ脚７が回転操作体５に突設され、ねじ軸６が受け台４に突設され、ねじ軸６が回転操作体５に破断部２４を介して破断可能に連結されている点にある。
また、本発明の他の技術的手段は、前記ねじ軸６が回転操作体５に突設され、ねじ脚７が受け台４に突設され、ねじ軸６が受け台４に破断部２４を介して破断可能に連結されている点にある。
また、本発明の他の技術的手段は、前記受け台４と収納筒体２との間に、収納筒体２に対して受け台４を回転不能にする係止機構２２が設けられている点にある。
【００１０】
また、本発明の他の技術的手段は、前記係止機構２２は、受け台４の外面又は収納筒体２の内面の一方に設けたガイド溝２１と、他方に設けたガイドリブ１４とを備えてなり、ねじ脚７を収納筒体２に対して回転不能に保持すべく、ガイドリブ１４がガイド溝２１に長手方向摺動自在に係合されている点にある。
また、本発明の他の技術的手段は、前記ねじ脚７と収納筒体２との間に、収納筒体２に対してねじ脚７を回転不能にする回り止め機構３０が設けられている点にある。
【００１１】
また、本発明の他の技術的手段は、前記回り止め機構３０は、ねじ脚７の外面又は収納筒体２の内面の一方に設けた係合凸部２８と、他方に設けた係止凹部１２とを備えてなり、ねじ脚７を収納筒体２に対して回転不能に保持すべく、係合凸部２８が係止凹部２に長手方向摺動自在に係合されている点にある。
【００１２】
【発明の実施の形態】
以下、本発明を図示の実施の形態に従って説明する。
図１〜図１４において、１は口紅やリップクリーム等を収納するの収納容器で、収納筒体２と、収納物３を保持する受け台４と、回転操作体５と、ねじ軸６と、一対のねじ脚７と、キャップ８とを備える。これら収納筒体２、受け台４、回転操作体５、ねじ軸６、一対のねじ脚７及びキャップ８は、硬質の合成樹脂等により構成されている。
【００１３】
収納筒体２は円筒状に形成され、基部の内周面に環状の抜け止め凹部１１が設けられ、収納筒体２の基部側の内周面に、軸方向の係止凹部１２が、周方向に等間隔をおいて４個（又は径方向に対応して２個）形成されている。各係止凹部１２は環状の抜け止め凹部１１から収納筒体２の軸方向中央に亘っている。
収納筒体２の内周面に、凸状となった軸方向のガイドリブ１４が、周方向に等間隔をおいて４個形成されている。ガイドリブ１４は、収納筒体２の周方向において各係止凹部１２の中間位置に配置されている。収納筒体２の先端側に、小径になったキャップ装着部１５が設けられると共に、先端開口１６が設けられている。
【００１４】
回転操作体５は、大径の操作部１７と小径の嵌合部１８とを有する有底円筒状に形成され、嵌合部１８に環状の抜け止め凸部１９が突設されている。回転操作体５の嵌合部１８は収納筒体２の基端部に内嵌され、抜け止め凸部１９が収納筒体２の抜け止め凹部１１に係合され、これにより、回転操作体１５は、操作部１７が収納筒体１の基端から外方突出した状態になって、収納筒体１に軸心回り回動自在に保持されている。
受け台４は有底円筒状に形成され、受け台４の外周面に軸方向のガイド溝２１が周方向に等間隔をおいて４個形成されている。受け台４は、収納筒体１に内嵌されると共に、収納筒体１のガイドリブ１４が受け台４のガイド溝２１に係合されることにより、収納筒体１に軸方向摺動自在に保持され、収納筒体１のガイドリブ１４と受け台４のガイド溝２１とにより、収納筒体１に対して受け台４を回転不能にする係止機構２２が構成されている。
【００１５】
回転操作体５にねじ軸６が突設され、受け台４に一対のねじ脚７が突設されている。ねじ軸６は受け台４に細い破断部（連結部）２４を介して破断可能に連結されている。破断部２４は、受け台４側（又はねじ軸６側）に向かうほど細く形成されて、破断が生じ易くなっている。而して、前記回転操作体５、受け台４、ねじ軸６及び一対のねじ脚７は一体に成形されている。
前記一対のねじ脚７は、ねじ軸６の外周を取り囲むように受け台４から回転操作体５側に向けて末広がり状に傾斜して突出され、ねじ脚７の先端側に、ねじ軸６の雄ねじ２６に咬み合う雌ねじ（内ねじ）２７が設けられている。一対のねじ脚７の外面に、長手方向の係合凸部２８が設けられている。ねじ脚７の基部に、ねじ軸６に接近する方向に弾性変形し易くなるように肉薄に形成してなる弾性変形部２９が設けられている。
【００１６】
受け台４、ねじ軸６及びねじ脚７を収納筒体１に収納することにより、一対のねじ脚７は、弾性変形部２９で弾性変形することにより、収納筒体１の内周面によりねじ軸６に接近するように径方向に内方に押し縮められて、一対のねじ脚７がねじ軸６の外周に近接保持され、各ねじ脚７の雌ねじ２７がねじ軸６の雄ねじ２６に咬み合うようになっている。また、一対のねじ脚７の係合凸部２８が、収納筒体１の４個の係止凹部１２のうちの径方向に対応する２個の係止凹部１２に、長手方向摺動自在に係合される。従って、係合凸部２８と係止凹部１２とにより、ねじ脚７を収納筒体１に対して回転不能にする回り止め機構３０が構成されている。
【００１７】
前記ねじ軸６の受け台４側の端部にはストッパー３２が設けられている。このストッパー３２にねじ脚７の雌ねじ２７が接当することにより、雌ねじ２７がねじ軸６から抜けないようにすると共に、受け台４の先端開口１６側への移動をここで規制している。なお、このストッパー３２は省略してもよい。
キャップ８は収納筒体２のキャップ装着部１５に着脱自在に嵌合され、収納筒体１の先端開口１６を塞ぐようになっている。
上記実施の形態によれば、収納容器１を製造する場合、収納筒体２及びキャップ８を別個に製造すると共に、回転操作体５、受け台４、ねじ軸６及び一対のねじ脚７を一体に成形する。
【００１８】
次に、受け台４に収納物３を外方突出状に保持した後、収納筒体２に対して一体成形した回転操作体５等を回動して、ガイドリブ１４とガイド溝２１とを一致させると共に、係合凸部２８と係止凹部１２とを一致させながら、図２に示すように、一体成形した回転操作体５、受け台４、ねじ軸６及び一対のねじ脚７を、収納筒体２にその基端側から挿入する。
すると、図２に示すように、収納筒体２の抜け止め凹部１１に回転操作体５の抜け止め凸部１９に係合し、収納筒体２のガイドリブ１４と受け台４のガイド溝２１とが係合し、収納筒体２の係止凹部１２とねじ脚７の係合凸部２８とが係合した状態になる。また、一対のねじ脚７がねじ軸６の外周に近接保持されて、各ねじ脚７の雌ねじ２７がねじ軸６の雄ねじ２６に咬み合う。
【００１９】
その後、回動操作体５を軸心回りにａ方向に回動操作すると、回転操作体５と共にねじ軸６がａ方向に回動し、このとき、ガイドリブ１４とガイド溝２１との係合により、受け台４が収納筒体２に対して回り止めされ、係止凹部１２と係合凸部２８との係合により、ねじ脚７が収納筒体２に対して回り止めされているので、ねじ脚７及び受け台４は回動することができず、ねじ軸６の回転により、ねじ脚７及び受け台４が収納筒体２の先端側に向けて移動する。
その結果、図１１及び図１４に示すように、受け台４がねじ軸６に対して離間するため、ねじ軸６と受け台４とが破断部２４で破断されて、受け台４及びねじ脚７と、回転操作体５及びねじ軸６とが分離し、回転操作体５の回動操作によって、収納物３が先端開口１６から出退するように、受け台４及びねじ脚７が収納筒体２内を軸方向に摺動する。
【００２０】
従って、受け台４、ねじ脚７、回転操作体５及びねじ軸６が１つの構成部材となるため、収納容器１の構成部材が少なくなり、このため、構成部材を形成する金型等が少なくて済み、収納容器１の製造費用が安上がりになる。また、一体に構成した回転操作体５側と受け台４側とを収納筒体２に対して一体に組み込むことができ、構成部材の組み込みも非常に簡単になる。
しかも、ねじ脚７は係合機構２２により回り止めされ、受け台４は回り止め機構３０により回り止めされているため、回転操作体５の回転がスムーズに受け台４に伝達されて、回転操作体５の回転操作によって、受け台４を収納筒体２に対してガタ付くおそれなく軸方向に摺動させて、収納物３を収納筒体２から良好に出退させることができる。
【００２１】
従って、回転操作体５の回転操作によって、収納筒体２から収納物３をスムーズに出退させることができると共に、収納容器１の構成部材を少なくして、製造費用を安価になし得ると同時に、収納筒体２に対する回転操作体５及び受け台４等の組み込みを簡単になし得るようになる。また、運搬等の際には、受け台４、ねじ脚７、回転操作体５及びねじ軸６が一体のものとして、収納筒体２に保持され、しかも、ねじ脚７が弾性変形により縮められた状態で保持されるので、収納容器１が大きな振動等を受けても、受け台４、ねじ脚７、回転操作体５及びねじ軸６が収納筒体２内でガタ付いたりすることがなく、このため、回動操作体５が回転操作されない限り、破断部２４が不測に破断するおそれがなく、バージン性を確実に保持することができ、運送乃至保管等にも便利である。
【００２２】
図１５は他の実施形態を示し、ねじ脚７が回転操作体２に突設され、ねじ軸６が受け台４に突設され、ねじ軸６が回転操作体５に破断部２４を介して破断可能に連結され、回転操作体５、受け台４、ねじ軸６及び一対のねじ脚７は一体に成形されている。その他の点は前記実施の形態の場合と同様の構成であり、前記実施の形態の場合と同様に、回転操作体５の回転操作によって、収納筒体２から収納物３をスムーズに出退させることができると共に、収納容器１の構成部材を少なくして、製造費用を安価になし得ると同時に、収納筒体２に対する回転操作体５及び受け台４等の組み込みを簡単になし得る。なお、この場合、一対のねじ脚７は回転操作体５と共に収納筒体２に対して回動するため、収納筒体２とねじ脚７との間には回り止め機構３０は不要になるので、ねじ脚７の係合凸部２８及び収納筒体２の係止凹部１２は省略される。
【００２３】
図１６は他の実施形態を示し、ねじ軸６にその先端側（受け台４側）のみに雄ねじ２６を設け、ねじ脚７の内面に、長手方向の略全長に亘って多数の雌ねじ（ネジリブ）２７を設けるようにしたものである（ウォーム、ラック式）。その他の点は前記実施の形態の場合と同様の構成である。
図１７は他の実施形態を示し、一対のねじ脚７を受け体４の側面から一体に突設するようにしたものである。その他の点は前記実施の形態の場合と同様の構成である。
【００２４】
なお、前記実施の形態では、収納筒体２に対して受け台４を回転不能にする係止機構２２を、受け台４の外面に設けたガイド溝２１と、収納筒体２の内周面に設けたガイドリブ１４とにより構成しているが、これに代え、受け台４の外面にガイドリブ１４を設け、収納筒体２の内周面にガイド溝２１を設け、これらガイド溝２１とガイドリブ１４とにより、収納筒体２に対して受け台４を回転不能にする係止機構２２を構成するようにしてもよい。また、収納筒体２を円筒形状に代えて楕円の筒状或いは角筒状に形成すると共に、受け台４を収納筒体２に対応する楕円或いは角形状に形成して、受け台４を収納筒体２に対して回動不能に内嵌するようにし、これにより、受け台４の外面又は収納筒体２の内周面に設けたガイド溝２１とガイドリブ１４とを省略するようにしてもよい。
【００２５】
また、前記実施の形態では、収納筒体２に対してねじ脚７を回転不能にする回り止め機構３０を、ねじ脚７の外面に設けた係合凸部２８と、収納筒体２の内面に設けた係止凹部１２とにより構成しているが、これに代え、ねじ脚７の外面に係止凹部１２を設け、収納筒体２の内面に係合凸部２８を設け、これら係止凹部１２及び係合凸部２８により、収納筒体２に対してねじ脚７を回転不能にする回り止め機構３０を構成するようにしてもよい。
また、前記実施の形態では、受け台４と収納筒体２との間に、収納筒体２に対して受け台４を回転不能にする係止機構２２を設け、ねじ脚７と収納筒体２との間に、収納筒体２に対してねじ脚７を回転不能にする回り止め機構３０を設けているが、これに代え、係止機構２２又は回り止め機構３０の一方を省略するようにしてもよい。
【００２６】
また、前記実施の形態では、回転操作体５又は受け台４に、ねじ軸６の外周に配置されるねじ脚７が一対設けられているが、設けるねじ脚７は２個に限定されず、１個であってもよいし、３個以上であってもよい。
また、前記実施の形態では、受け台４を有底円筒状に形成しているが、受け台４の形状はこれに限定されず、皿状その他の形状であってもよいことは勿論である。
【００２７】
【発明の効果】
本発明によれば、回転操作体５の回転操作によって、収納筒体２から収納物３をスムーズに出退させることができると共に、収納容器１の構成部材を少なくして、製造費用を安価になし得ると同時に、収納筒体２に対する回転操作体５及び受け台４等の組み込みを簡単になし得るようになる。
【図面の簡単な説明】
【図１】本発明の一実施の形態を示す分解斜視図である。
【図２】同側断面図である。
【図３】同収納筒体の側断面図である。
【図４】同回転操作体及び受け台等の一体成形品の半欠側断面図である。
【図５】同収納筒体の底面図である。
【図６】同図４のＡ−Ａ線矢視図である。
【図７】同図４のＢ−Ｂ線矢視図である。
【図８】同図４のＣ−Ｃ線断面図である。
【図９】同ねじ脚の側面図である。
【図１０】同図９のＤ−Ｄ線断面図である。
【図１１】同回転操作体及び受け台等の一体成形品を収納筒体に組み込む工程を示す側断面図である。
【図１２】同図１１のＥ−Ｅ線矢視図である。
【図１３】同図１１のＦ−Ｆ線断面図である。
【図１４】同回転操作体及び受け台等の一体成形品を収納筒体に組み込む工程を示す斜視図である。
【図１５】他の実施形態を示す回転操作体及び受け台等の一体成形品を示す半欠側断面図である。
【図１６】他の実施形態を示す回転操作体及び受け台等の一体成形品を示す半欠側断面図である。
【図１７】他の実施形態を示す回転操作体及び受け台等の一体成形品を示す半欠側断面図である。
【図１８】従来例を示す側断面図である。
【図１９】他の従来例を示す斜視図である。
【符号の説明】
１　　　収納容器
２　　　収納筒体
３　　　収納物
４　　　受け台
５　　　回転操作体
７　　　ねじ脚
１２　　係止凹部
１４　　ガイドリブ
２１　　ガイド溝
２２　　係止機構
２４　　破断部
２６　　雄ねじ
２７　　雌ねじ
２８　　係合凸部
３０　　回り止め機構
【図１】
2004057610.tif 000003
【図２】
2004057610.tif 000004
【図３】
2004057610.tif 000005
【図４】
2004057610.tif 000006
【図５】
2004057610.tif 000007
【図６】
2004057610.tif 000008
【図７】
2004057610.tif 000009
【図８】
2004057610.tif 000010
【図９】
2004057610.tif 000011
【図１０】
2004057610.tif 000012
【図１１】
2004057610.tif 000013
【図１２】
2004057610.tif 000014
【図１３】
2004057610.tif 000015
【図１４】
2004057610.tif 000016
【図１５】
2004057610.tif 000017
【図１６】
2004057610.tif 000018
【図１７】
2004057610.tif 000019
【図１８】
2004057610.tif 000020
【図１９】
2004057610.tif 000021